(57)【要約】      （修正有）【課題】収集品アイテムを楽しむために展示でき、しかも損傷および物的損害から保護できる【解決手段】収集品展示ケース１０が、丈夫なフレーム２０、前方窓３０、後方窓６０、およびプレースホルダ４０を含む。前方窓３０は、上記フレームの前方内部位置に固定的に取り付け可能な写真立てタイプの透明な前面を含む。背面窓は、前方窓３０と類似した、その前方窓３０の反対側に取り外し可能に配置された透明な背面窓を含む。プレースホルダ４０は、フレーム２０と同じ形状の外周を有する、丈夫な平フレーム形マットの互いに対応する対を含む。【選択図】図２
2015104630.tif 000002
【特許請求の範囲】
【請求項１】
展示可能な収集品を内部に封入するためのフレームと、
前記フレーム内部の前方位置に取り付けられる、前記収集品の前面を見るための透明な前方窓と、
前記フレーム内部の前記前方窓の背後に取り付けられる、前記収集品を保持、支持するための多層プレースホルダと、
前記フレーム内部の後方位置の前記プレースホルダの背後に取り付けられる、前記収集品の背面を見るための透明な後方窓と、を備える、収集品展示ケース。
【請求項２】
前記収集品が前記前方窓と前記後方窓の間に封入されるように、前記フレームが、前記収集品の厚みよりも大きい厚みをさらに有する、請求項１に記載のケース。
【請求項３】
前記フレームが、
内部表面の前記前方位置に嵌め込まれた、前記前方窓を摺動式に受けるための第１の溝と、
前記内部表面の前記中間位置に嵌め込まれた、前記プレースホルダを摺動式に受けるための第２の溝と、
前記内部の前記後方位置に嵌め込まれた、前記後方窓を摺動式に受けるための第３の溝と、をさらに備え、
前記第１の溝と前記第２の溝の間の距離が、前記前方窓と前記プレースホルダの間に前記収集品の厚みを封入するのに十分である、請求項１に記載のケース。
【請求項４】
前記プレースホルダが、
前記収集品の周縁部と略等しいカスタマイズ可能な第１のマット開口を有する第１のマットと、
前記第１のマット開口より小さいカスタマイズ可能な第２のマット開口を有する第２のマットと、をさらに備え、
前記第１のマットと前記第２のマットが連結され、前記第１のマット開口と前記第２のマット開口の間にある前記第２のマットのオフセット領域が、前記収集品の外周部分のための接触面を形成する、請求項１に記載のケース。
【請求項５】
前記第１のマットに対向して前記第２のマットに取り付けられる上張りマットをさらに備える、請求項４に記載のケース。
【請求項６】
前記第１のマット、前記第２のマット、および前記上張りが、前記第２の溝の内部に嵌合するのに適した総厚みを有する剛性材料をさらに含む、請求項５に記載のケース。
【請求項７】
前記第１のマット、前記第２のマット、および前記上張りが互いに接着される、請求項６に記載のケース。
【請求項８】
前記収集品の前記厚みが、前記第２のマット開口を貫いて突出する、請求項６に記載のケース。
【請求項９】
前記フレームの背面に取り付けられた、前記ケースを垂直支持面から取り外し可能に掛けるための取り付けブラケットをさらに備える、請求項８に記載のケース。
【請求項１０】
上側水平セグメント、対向する垂直セグメントの対、前記上側水平セグメントに対向する下側水平セグメント、および前記下側水平セグメントに取り外し可能に連結されるフレーム固定部材を有する、展示可能な収集品を封入するためのフレームと、
前記上側水平セグメント、前記垂直セグメントの対および前記下側水平セグメントの内部表面の前方位置に嵌め込まれた第１の溝と、
前記上側水平セグメント、前記垂直セグメントの対および前記フレーム固定部材の前記内部表面の中間の位置に嵌め込まれた第２の溝と、
前記上側水平セグメント、前記垂直セグメントの対および前記フレーム固定部材の前記内部表面の後方位置に嵌め込まれた第３の溝と、
前記第１の溝の内部に摺動可能式に取り付けられる、前記収集品の前面を見るための透明な前方窓と、
前記前方窓の背後の前記第２の溝の内部に摺動可能式に取り付けられる、前記収集品を保持、支持するためのプレースホルダと、
前記プレースホルダの背後の前記第３の溝内部に摺動可能式に取り付けられる、前記収集品の背面を見るための透明な後方窓と、を備える、収集品展示ケース。
【請求項１１】
前記プレースホルダが、
前記収集品の周縁部と略等しいカスタマイズ可能な第１のマット開口を有する第１のマットと、
前記第１のマット開口より小さいカスタマイズ可能な第２のマット開口を有する第２のマットと、をさらに備え、
前記第１のマットと前記第２のマットが連結され、前記第１のマット開口と前記第２のマット開口の間にある前記第２のマットのオフセット領域が、前記収集品の外周部分のための接触面を形成する、請求項１０に記載のケース。
【請求項１２】
前記第１のマットに対向して前記第２のマットに取り付けられる上張りマットをさらに備える、請求項１１に記載のケース。
【請求項１３】
前記第１のマット、前記第２のマット、および前記上張りが、前記収集品よりも大きい外周を備える、請求項１２に記載のケース。
【請求項１４】
前記フレームがさらに、前記第１の溝と前記第２の溝の間の距離が、前記前方窓と前記プレースホルダの間に前記収集品の厚みを封入するのに十分であるような厚みを有し、
前記収集品の前記厚みが、前記第２のマット開口を貫いて突出する、請求項１３に記載のケース。
【請求項１５】
前記第１のマット、前記第２のマット、および前記上張りが、前記第２の溝の内部に嵌合するのに適した総厚みを有する、互いに接着された剛性材料をさらに含む、請求項１４に記載のケース。
【請求項１６】
前記フレーム固定部材が、取り外されたときに前記第２の溝および前記第３の溝へのアクセスを可能にするのに十分な厚みをさらに有し、少なくとも１つの固定具によって前記下側水平セグメントの後方表面に連結される、請求項１５に記載のケース。
【請求項１７】
前記前方窓が、前記フレームの前記第１の溝の内部に取り付けられる、請求項１６に記載のケース。
【請求項１８】
前記フレームの背面に取り付けられた、前記ケースを垂直支持面から取り外し可能に掛けるための取り付けブラケットをさらに備える、請求項１７に記載のケース。
【請求項１９】
収集品を保護、展示する方法であって、
上側水平セグメント、対向する垂直セグメントの対、前記上側水平セグメントに対向する下側水平セグメント、および前記下側水平セグメントに取り外し可能に連結されるフレーム固定部材を有するフレームと、前記上側水平セグメント、前記垂直セグメントの対および前記下側水平セグメントの内部表面の前方位置に嵌め込まれた第１の溝と、前記上側水平セグメント、前記垂直セグメントの対および前記フレーム固定部材の前記内部表面の中間の位置に嵌め込まれた第２の溝と、前記上側水平セグメント、前記垂直セグメントの対および前記フレーム固定部材の前記内部表面の後方位置に嵌め込まれた第３の溝と、前記第１の溝の内部に摺動可能式に取り付けられる透明な前方窓と、前記前方窓の背後の前記第２の溝の内部に摺動可能式に取り付けられる、前記収集品を保持、支持するための第１のマットおよびそれに取り付けられた第２のマットと、上張りと、前記プレースホルダの背後の前記第３の溝内部に摺動可能式に取り付けられる透明な後方窓とを提供するステップと、
一定の周囲の大きさおよび厚みを有する前記収集品を提供するステップと、
前記収集品を前記第１のマット上に配置するステップと、
前記周囲の大きさの第１のトレース線を前記第１のマット上にマーキングするステップと、
第１のマット開口を作成するために前記トレース線を切るステップと、
前記第１のマットを前記第２のマット上に配置するステップと、
前記第１のマット開口の外周の第２のトレース線を前記第２のマット上にマーキングするステップと、
前記第２のトレース線からのオフセットの寸法を測るステップと、
前記オフセットをオフセット線でマーキングするステップと、
第２のマット開口を作成するためにオフセット線を切るステップと、
両前記マット開口が位置合わせされた状態で、前記第２のマットの背面に前記第１のマットの背面を接着するステップと、
前記上張りの背面を前記第２のマットの前方面に接着するステップと、を含む、方法。
【請求項２０】
前記フレームを水平面上に、前記前方窓がその水平面に隣接した状態で配置するステップと、
前記第１のマットと前記第２のマットからなる接着された結合体および前記上張りを前記第２の溝内に摺動可能式に挿入するステップと、
前記周囲の大きさが前記第１のマット開口内に収まり、前記厚みが前記第２のマット開口を貫いて前記前方窓の方に外向きに突出するように、前記第２のマットの前記背面で利用可能なオフセット領域上に前記収集品を配置するステップと、
前記後方窓を前記第３の溝に摺動可能式に挿入するステップと、
前記フレーム固定部材を前記下側水平セグメントと接触して配置するステップと、
前記フレーム固定部材を前記下側水平セグメントと接触して固定するために、少なくとも１つの固定具を適用するステップと、
前記前方窓を介して前記収集品の前面を見ることができ、前記後方窓を介して前記収集品の後方側を見ることができるような形で、前記収集品を展示するステップと、をさらに含む、請求項１９に記載の方法。
【発明の詳細な説明】
【技術分野】
【０００１】
本発明はまず、２００９年９月１７日に、公証された発明の公認記録（Ｏｆｆｉｃｉａｌ  Ｒｅｃｏｒｄ  ｏｆ  Ｉｎｖｅｎｔｉｏｎ）に記載された。これは、モンテゴメリ・パテントアンドデザイン（Ｍｏｎｔｇｏｍｅｒｙ  Ｐａｔｅｎｔ  ａｎｄ  Ｄｅｓｉｇｎ）社のオフィスにファイルされており、その開示全体が参照によりここに組み込まれる。
【０００２】
本発明は、一般に展示ケースおよびフレームに関し、詳細には収集品のためのカスタマイズ可能な展示ケースに関する。
【背景技術】
【０００３】
様々なアイテムや物品の収集は、非常に多くの人々により楽しまれている。このような収集品は切手およびコインだけに限らず、玩具、ダイカストメタル製の自動車、アクションフィギュア、トレーディングカード、コミック本など他のアイテムも含む。こういったアイテムは多くの人々に郷愁をもたらす。新品同様の状態であり且つまだその小売り包装に入ったものは高値で売れるので、その他大勢にとってこういった収集品は投資を意味する。したがって、このような収集品の価値を保護することが強く望まれる。しかしながら、この保護したいという要望は、しばしば、そのアイテムを閲覧し楽しむ必要性と相殺となる。
【０００４】
多様なタイプのアイテムのための様々な額縁、ポスターフレーム、シャドーボックス、または同様の多目的容器が存在する。典型的には、こういったフレームは、構造フレームと前面のみに平坦な透明な閲覧窓を形成する。これらの特徴は、平坦またはほぼ平坦なアイテムまたは収集品、特に、常にアイテムの前面のみが展示されるものによく適している。しかしながら、数多くの玩具またはその他の収集品は、様々な厚みを有すると共に、ブリスターパック包装などのプラスチックおよび厚紙の包装の形で売られている。これらの収集品に対しては、フレームまたはシャドーボックスは適当な展示を成さない。さらに、こういった収集品アイテムの多くが、包装の背面に印刷された画像および情報を有しており、所有者はこのような画像および情報を前面と同程度に展示したい可能性がある。こういったタイプの収集品を展示するために利用可能な先ほどの容器では、一般に、アイテムを展示のために立てた位置で配置、保持するために、所有者が接着剤を使用する必要があるか、または他の方法で包装を損なう必要が生じる。
【発明の概要】
【発明が解決しようとする課題】
【０００５】
本発明者は、当技術分野における上述の固有の問題および欠陥を認識し、収集品アイテムを楽しむために展示でき、しかも損傷および物的損害から保護できる装置および方法の必要性に気付いた。本明細書の開示の目的は、こういった問題を解決することである。
【課題を解決するための手段】
【０００６】
本発明者はこういった問題を認識し、損傷、摩耗または価値損失の可能性からアイテムを保護する形をとると共に、収集品アイテムを簡単かつ好都合に展示する方法を提供する収集品展示ケースを開発することによってこの要求に応えた。したがって本発明者は、展示可能な収集品を封入するためのフレームを提供する利点および利益に気付いた。そのフレームは、上側水平セグメント、対向する垂直セグメントの対、上側水平セグメントに対向する下側水平セグメント、および下側水平セグメントに取り外し可能に連結されたフレーム固定部材を含む。透明な前方窓が、収集品の前面を閲覧するためにフレームの内部に取り付けられる。プレースホルダが、収集品を保持、支持するためにフレーム内部の前方窓の背後に取り付けられる。透明な後方窓が、収集品の背面を閲覧するためにフレームの内部のプレースホルダの背後に取り付けられる。第１の溝が、前方窓を受けるために、上側水平セグメント、垂直セグメントの対および下側水平セグメントの内部表面の前方位置に嵌め込まれる。第２の溝が、プレースホルダを摺動可能式に受けるために、上側水平セグメント、垂直セグメントの対およびフレーム固定部材の内部表面の中間位置に嵌め込まれる。第３の溝が、後方窓を摺動可能式に受けるために、上側水平セグメント、垂直セグメントの対およびフレーム固定部材の内部表面の後方位置に嵌め込まれる。
【０００７】
プレースホルダは、収集品の周縁部とほぼ等しいカスタマイズ可能な第１のマット開口を有する第１のマットと、前記第１のマット開口より小さいカスタマイズ可能な第２のマット開口を有する第２のマットを含む。第１のマットと第２のマットは連結され、第１のマット開口と第２のマット開口の間にある第２のマットのオフセット領域が、収集品の外周部分のための接触表面を形成する。
【０００８】
上記フレームは、第１の溝と第２の溝の間の距離が、前方窓とプレースホルダの間に収集品の本体を封入するのに十分であるような厚みを有する。収集品の本体は、第２のマット開口を貫いて突出する。
【０００９】
さらに、説明した本明細書の開示の特徴および利点は、当業者なら理解するであろう様々な方式および実施形態において組み合わせることができる。本明細書の開示は、特定の実施形態で説明した特徴および利点のうちの１つまたは複数が無くても実施することができる。
【００１０】
本明細書の開示の他の利点は、図面および以下の説明を考慮することから明らかになるであろう。
【００１１】
以下の詳細な説明および特許請求の範囲を添付図面と併せて考慮することにより、本明細書の開示の利点および特徴がより効果的に理解されるであろう。各図面の同じ要素は同じ記号で識別される。
【図面の簡単な説明】
【００１２】
【図１】好ましい実施形態による収集品展示ケース１０の斜視図である。
【図２】好ましい実施形態による収集品展示ケース１０の前面分解斜視図である。
【図３】好ましい実施形態による結合された第１のマット４１および第２のマット４２の正面図である。
【図４】収集品１５が好ましい実施形態に従って適用されている状態で示されている、結合された第１のマット４１と第２のマット４２の部分分解前面斜視図である。
【図５】好ましい実施形態に従って、収集品１５が適用され、上張り５０が適用された状態の、結合された第１のマット４１と第２のマット４２の部分分解前面斜視図である。
【図６】好ましい実施形態に従って下側水平セグメント２９が取り外された状態で示されている、フレーム２０の前面斜視図である。
【図７】好ましい実施形態に従ってフレーム固定部材２４が適用されている状態で示されている、フレーム２０の部分分解後面斜視図である。
【図８】好ましい実施形態による収集品展示ケース１０の後面斜視図である。
【発明を実施するための形態】
【００１３】
本明細書の開示を実施するための最良の形態を、本明細書において図１〜８の中に示す好ましい実施形態に関して提示する。ただし、本明細書の開示は、説明する単一の実施形態に限定されず、本明細書の開示の基本概念から逸脱することなしにその他多くの実施形態が可能であること、ならびにそのような任意の代替策もやはりその開示の範囲に入ることを当業者なら理解するだろう。他の様式および構成を容易に本明細書の開示の教示に組み込むことができること、範囲を限定するのではなくそれを明確にし、明らかにするために、ただ１つの特定の構成だけを示し説明できることが想定される。
【００１４】
本明細書における「１つの」という語は、数量の限定を表すのではなく、参照したアイテムが少なくとも１つ存在することを表す。
【００１５】
本発明では、収集品展示ケース（本明細書では「器具（ａｐｐａｒａｔｕｓ）」と記載）１０について記述する。本発明は、収集品１５を新品状態のままにできる閲覧可能な構造で、包装された収集品１５を保管、展示するための構造体および方法を提供する。包装された収集品１５にはダイカストメタル製の自動車、アクションフィギュア、トランプなどが挙げられるがこれに限定されない。
【００１６】
次に図１を参照すると器具１０の使用環境図が示されており、図２を参照すると器具１０の前面分解斜視図が示されている。器具１０は全体として、フレーム２０、前方窓３０、第１のマット４１、第２のマット４２、上張り（ｏｖｅｒｌａｙ）５０、および背面窓６０を含む。器具１０は、内部に展示されている収集品１５の様々なタイプや様式に応じてカスタマイズ可能である。収集品１５は、アクションフィギュア、ダイカスト製の自動車、様々なタイプのトレーディングカード、コミック本、または同様の収集物品を含むと想定されるが、これに限定されない。フレーム２０は、特にブリスターパックなどのオリジナルの包装内部で未開封の状態のままである収集品１５のために、収集品１５を取り囲み／固定／保護する支持構造を提供する。フレーム２０は、上側水平セグメント２７およびそれに対向する下側水平セグメント２９および対向する垂直セグメント２８の対を有する外部ハウジングを含む。これらのセグメントは、全般に方形または矩形の構造を形成するように合わさり、シャドーボックスと類似した単一の構造体として結合されると好ましい。フレーム２０は、プラスチック、木材などの材料から製造されるが、これらの材料に限定されない。マット４１、４２、および上張り４５は、薄手の発泡体、厚紙、またはカード用紙材でできていると好ましく、しかし器具１０の範囲を限定することなく他の材料を利用することができる。窓３０、６０は、透明な材料から製造されると好ましく、透明な材料にはガラス、アクリルガラスなど挙げられるが、これに限定されない。器具１０の全ての構成部品は、様々なサイズの収集品１５を容易にするように、様々な寸法で作ることができる。
【００１７】
次に図３を参照すると、結合された第１のマット４１と第２のマット４２の正面図が開示されている。図４には、結合された第１のマット４１と第２のマット４２の部分分解前面斜視図が、収集品１５を加えた状態で開示されている。図５には、結合された第１のマット４１と第２のマット４２の部分分解前面斜視図が、収集品１５を加え、且つ上張り５０を適用した状態で開示されている。器具１０は、収集品１５を展示可能な向きで保持するためのプレースホルダ４０を含む。プレースホルダ４０は、第１のマット４１と第２のマット４２との組み合わせを含む。
【００１８】
第１のマット４１、第２のマット４２、および上張り５０は、収集品１５の周りに垂直方向の支持と装飾的な縁を形成し、収集品１５とフレーム２０の間で美的コントラストをもたらす。マット４０、４２はそれぞれ、器具１０に適用される収集品１５のタイプに基づき、サイズ、色、および厚みをエンドユーザによりカスタマイズ可能である。第１のマット４１および第２のマット４２はまた、それぞれユーザが特定のサイズに切ることができる第１のマット開口４３、第２のマット開口４４を含むことによって、またはそれぞれ収集品の包装の特定の様式に合わせたプレカットが設けられる第１のマット開口４３、第２のマット開口４４を含むことによってカスタマイズされる。
【００１９】
使用時は、収集品１５が第１のマット４１上の中心に配置され、筆記用具または同様のマーキング器具で収集品１５の外周の輪郭が描かれることにより、ユーザが刃またはハサミを使用して輪郭を切り抜いて第１のマット開口４３を作成できるようになっている。第１の開口４１は、収集品１５のパッケージングの外周とほぼ等しく、挿入される収集品１５のための開口を形成する。この第１の開口により、収集品１５の周りに第１のマット４１で外側の縁を形成することが可能になる。次いで、第１のマット４１は第２のマット４２上に配置され、第１のマット開口４３が第２のマット４２上にトレースされる。次いで、そのトレース線が内向きにオフセットされて切り抜かれ、第２のマット開口４４を形成する。第２のマット開口４４は、オフセット領域４５が第１のマット開口４３の縁から１インチの少なくとも８分の１（１／８）離れた状態で切り抜かれると好ましい。第１のマット開口４３と第２のマット開口４４の間にある第２のマット４２のオフセット領域４５は、載せる収集品１５のパッケージングの背面に対する後方支持面を形成する。収集品１５または収集品パッケージングのおおよその幅および長さに対応する第１のマット開口４３および第２のマット開口４４がそれぞれマット４０、４２に作成された後、第２のマット４２に第１のマット４１が取り付けられる。第１のマット開口４３が第２のマット開口４４と位置合わせされて、第２のマット４２のオフセット領域４５が収集品１５を固定的な垂直位置に固定するように、第２のマット４２が第１のマット４１の後方表面に接着されると好ましい。特定のサイズおよびタイプの収集品１５に合う適正なサイズを有する第１のマット４１および第２のマット４２が結合されると、マット４０、４２およびフレーム２０により、展示のために収集品１５を直立の向きに保持する固定構造体が作り出される。
【００２０】
上張り５０は、第１のマット４１の前方に配置され、色のコントラスト、さらに全体的な美的外観を器具１０にもたらす。上張り５０は、収集品パッケージングの外側の周りにほぼ２インチの縁を形成し、第１のマット４１の前方に配置されて、すっきりとして整った外観を器具１０および収集品１５にもたらす。上張り５０は上張り開口５１を含み、この上張り開口５１により、収集品１５およびこれに対応するオリジナルの包装を全体にわたって完全に見せることが可能になる。
【００２１】
器具１０と共に使用されるものとして示されている収集品１５は、未だそのオリジナルの包装内部に入った収集品であるアクションフィギュアとして示されている。器具１０は、厚紙で裏打したパックやクラムシェルタイプのブリスターパックを含む様々なタイプの包装と共に使用するように設計されている。ただし、玩具、模型、トレーディングカード、コミックブックなど、他の様々な包装された収集品も同様の形で取り付けて展示できることが理解されるだろう。第１のマット開口４３および第２のマット開口４４は、収集品１５のタイプに応じて変化する。さらに、フレーム２０の水平セグメント２７および垂直セグメント２８の長さおよび厚さもまた、詳細に説明するように、収集品１５のタイプ、サイズ、および外形寸法に伴って変化する。
【００２２】
次に図６を参照すると、フレーム２０の斜視図が、下側水平セグメント２９が取り外された状態で開示されている。水平セグメント２７の対および垂直セグメント２８の対が、フレーム２０に外部構造を形成する。下側水平セグメント２７は例示目的だけのために取り外されており、セグメント２７、２８の２つの対は一体的に成型されるであろうことが、あるいはその他の方法で堅固な単一の構造を形成するように連結されるであろうことが理解されるだろう。各セグメント２７、２８の内面は、第１の溝２１、第２の溝２２、および溝２３を含む。第１の溝２１、第２の溝２２、および溝２３はそれぞれ挿入、固定すべき前方窓３０用、第１のマット４１・第２のマット４２・上張り５０・収集品１５の結合体用、後方窓６０用の陥凹領域を形成する。第１の溝２１は、各セグメント２７、２８の前方端部分に配置され、前方窓３０を配置するためのスペースをもたらす。第２の溝２２は、各セグメント２７、２８の中間部分に配置され、第１のマット４０、それに結合された第２のマット４２、適用された収集品１５、および上張り５０のためのスペースをもたらす。第３の溝２３は、第２の溝２２に隣接する後方端部分に配置され、後方窓６０のためのスペースをもたらす。第１の溝２１と第２の溝２２の間の奥行きはフレーム２０のサイズおよび収集品１５の寸法に応じて変化することができ、これにより包装全体が対向する前方窓３０と後方窓６０の間に封入される。
【００２３】
前方窓３０および後方窓６０を用いることにより、収集品１５を器具１０の内部に展示したときに前方からも後方からも見ることが可能になる。前方窓３０は、フレーム２０の第１の溝２１の内部に配置され、製造プロセス時に第１の溝２１内部に恒久的に取り付けることができる。前方窓３０を用いることにより、収集品１５、および、あればこれに添付された包装の前面を展示したときに完全に見ることが可能になる。上張り５０は第２の溝２２の内部に配置される。結合された第１のマット４１と第２のマット４２は、第２の溝２２の内部の上張り５０の背後に適用される。第２のマット４２は、形成されたオフセット領域４５に収集品１５が適用、載置され、収集品１５の外周縁部が第１のマット開口４３の内周縁部に載置されるように、前方窓越しに前方外向きに向く。後方窓６０は、収集品１５をオフセット領域４５と接触して保持するために、収集品１５の背面の後ろにある第３の溝２３の内部に挿入される。後方窓６０によって、収集品１５および添付の包装の後面を展示時に見ることが可能になる。
【００２４】
次に図７を参照すると、フレームの後面斜視図が、フレーム固定部材２４が適用されている状態で開示されている。下側水平セグメント２９は、形状および材料が上側水平セグメント２７とほぼ同様である。ただし、下側水平セグメント２９は、わずかに厚さが薄く、第１の溝２１のみを含む。上張り５０、プレースホルダ４０、収集品１５が第２の溝２２に嵌め込まれ、後方窓６０が第３の溝２３の内部に嵌められると、取り外し可能なフレーム固定部材２４が下側水平部材２９に連結される。マット４０、４２、および上張りがカスタマイズされると、それぞれが第２の溝２２の内部に摺動式に挿入される。上張り５０が正面側となり、第２のマット４２が続き、最も後方の第１のマット４１が続く。この挿入が行われると収集品１５が収容される。収集品１５は、収集品１５またはパッケージングの外周部分がオフセット領域４５上に載るように、任意の厚みのある部分を、位置合わせした第１のマット開口４３と第２のマット開口４４を貫いて挿入することによって収容される。次いで、後方窓６０が第３の溝２３内部に摺動式に挿入される。第２の溝２２および第３の溝２３には、下側水平セグメント２９の外形が薄くなっているためにアクセス可能である。フレーム固定部材２４は、連結されたときに垂直セグメント２８上の対応する溝と位置が合う第２の溝２２および第３の溝２３を含む。フレーム固定部材２９は、複数の固定具２６によって下側水平部材２９に固定される。フレーム固定部材２４の対向する両端は、各垂直部材２８のマイタージョイントと位置が合う４５度（４５°）の角度の切り口を含む。フレーム固定部材２４はまた、下側水平部材２９の内部表面上にある対応する開口２５の対と係合する固定具２６を受ける開口２５の対を含む。固定具２６はねじであることが好ましい。第２の溝２２および第３の溝２３、ひいては収集品１５にアクセスするためにフレーム固定部材２４を取り外す要求に応じ、固定具２６は取り外すことができる。
【００２５】
次に図８を参照すると、器具１０の後面斜視図が開示されている。器具１０は、直立の形で、机、テーブル、またはその他の平坦面上にフレーム２０を立たせることによって展示することも、壁から掛けることもできる。器具１０を垂直面から吊り下げる方法を提供するため、少なくとも１つの取り付けブラケット７０をフレーム２０の背面の表面に取り付けることができる。取り付けブラケット７０は、釘で上側水平セグメント２７の背面の表面に取り付けられた、鋸歯フレーム取り付けハンガーとして示されている。取り付けブラケット７０は、器具１０を吊り下げるために、壁またはその他の所望の垂直面に挿入されているフック、釘、などの吊り下げ機構と係合する。
【００２６】
他の本発明の様式および構成についても本発明の教示に容易に組み込むことができることが想定される。範囲を限定するためでなく、明確さと開示のために、１つの特定の構成のみを示し説明するものとする。
【００２７】
本明細書の開示の好ましい実施形態は、一般のユーザにとって単純であり且つ努力を要しない形で、ほとんどまたは全く訓練を受けることなく利用することができる。器具１０は、最初に購入または取得された後、図１〜８に示されているように設置されるはずである。
【００２８】
マット４０、４２および上張り５０を設置、利用する方法は、以下のステップを実行することによって実現することができる。つまり、器具１０を取得するステップと、収集品１５を第１のマット４１上に配置し、第１のマット４１上でその外周をトレースし、第１のマット開口４３を作成するためにトレース線を切るステップと、第１のマット４１を第２のマット４２上に配置し、第２のマット４２上で第１のマット開口４２の外周をトレースし、上記トレース線をオフセットし、第２のマット開口４４を作成するためにトレース線を切るステップと、第２のマット４２の後方面および第１のマット４１の後方面に接着剤を塗布し、対合することによって、開口４１、４３を位置合わせして第２のマット４２を第１のマット４１に接着するステップと、上張り５０を第２のマット４１の前方表面に配置するステップと、収集品１５を開口４１、４３に配置するステップと、である。
【００２９】
フレーム２０を設置、利用する方法は、以下のステップを実行することによって実現することができる。つまり、フレーム２０を水平面上に、前方窓３０がその水平面に隣接した状態で配置するステップと、マット４０、４２、上張り５０、および収集品１５を第２の溝２２に摺動するステップと、後方窓６０を第３の溝２３に挿入するステップと、フレーム固定部材２４を下側水平セグメント２９上に配置し、開口２５を位置合わせするステップと、固定具２６を開口２５内に固定するステップと、である。
【００３０】
器具１０を展示する方法は、以下のステップを実行することによって実現することができる。つまり、所望の垂直面から器具１０を吊り下げるために吊り下げ部材５０を利用し、それによって吊り下げ部材５０を既存の釘またはフックと係合するステップと、スピーディで容易く効果的であるだけでなく、視覚的にも快く保護も行う形で、収集品１５を展示するステップと、である。
【００３１】
代替方法として、器具１０を展示する方法は、以下のステップを実行することによって実現することができる。つまり、器具１０を直立の形で所望の水平面上に配置するステップと、スピーディで容易く効果的であるだけでなく、視覚的にも快く保護も行う形で、収集品１５を展示するステップと、である。
【００３２】
本発明の特定の実施形態の前述の記述は、例示と説明のために示した。そういった記述は、網羅的であることも、開示した厳密な形態に本発明を限定することも意図しておらず、明らかに、上記の教示に照らして多数の変更形態および変形形態が可能である。これらの実施形態は、本発明の原理およびその実用的な適用例を最も良く説明するために、かつ、それによって当業者が本発明および、企図されている特定の用途に適した様々な実施形態を様々な変更形態で最も良く利用できるように選択し、説明した。
【符号の説明】
【００３３】
１０  収集品展示ケース
１５  収集品
２０  フレーム
２１   第１の溝
２２  第２の溝
２３  第３の溝
２４  フレーム固定部材
２５  開口
２６  固定具
２７  上側水平セグメント
２８  垂直セグメント
２９  下側水平セグメント
３０  前方窓
４０  プレースホルダ
４１  第１のマット
４２  第２のマット
４３  第１のマット開口
４４  第２のマット開口
４５  オフセット領域
５０  上張り
５１  上張り開口
６０  後方窓
７０  取り付けブラケット
【図１】
2015104630.tif 000003
【図２】
2015104630.tif 000004
【図３】
2015104630.tif 000005
【図４】
2015104630.tif 000006
【図５】
2015104630.tif 000007
【図６】
2015104630.tif 000008
【図７】
2015104630.tif 000009
【図８】
2015104630.tif 000010
【外国語明細書】
2015104630.tif 000011
2015104630.tif 000012
2015104630.tif 000013
2015104630.tif 000014
2015104630.tif 000015
2015104630.tif 000016
2015104630.tif 000017
2015104630.tif 000018
2015104630.tif 000019
2015104630.tif 000020
2015104630.tif 000021
2015104630.tif 000022
2015104630.tif 000023
2015104630.tif 000024
2015104630.tif 000025
2015104630.tif 000026
2015104630.tif 000027
2015104630.tif 000028
【図１】
2015104630.tif 000029
【図２】
2015104630.tif 000030
【図３】
2015104630.tif 000031
【図４】
2015104630.tif 000032
【図５】
2015104630.tif 000033
【図６】
2015104630.tif 000034
【図７】
2015104630.tif 000035
【図８】
2015104630.tif 000036